(57)【要約】【課題】室内の開放感を、より一層向上させることができる引戸を提供すること。【解決手段】引戸１は、建物２の室内と室外の間に取り付けられ、枠体１０と、障子２０とを備える。枠体１０は、上枠１１、下枠１２、および左右の縦枠１３を備える。障子２０は、内障子２１と、中障子２２と、外障子２３とを備える。各障子２１〜２３は、上框２４、下框２５、および左右の竪框２６が四周枠組みされた框体２７を備える。左右の縦枠１３には、障子２１〜２３が閉じた状態で、室内側からみて、障子２１の戸先框２１１を呑み込む呑込部１３０Ｌと、障子２３の戸先框２３２を呑み込む呑込部１３０Ｒが設けられている。戸先框２１１，２３２の見付寸法は、呑込部１３０Ｌ，１３０Ｒの呑込寸法と略同一である。縦枠１３Ｒにおける外障子２３の戸先框２３２の室内側には、縦枠１３Ｒの内側面を覆うアタッチメント部材１３３が設けられている。【選択図】  図４
2006104879.tif 000002
【特許請求の範囲】
【請求項１】
建物の室内外間に取り付けられ、上枠、下枠、および左右の縦枠を四周枠組みした枠体に対して、上框、下框、および左右の竪框を四周框組みした框体と、この框体内に組み込まれる面材とを有する障子を摺動自在に取り付けた引戸であって、
前記縦枠には、前記障子が閉じた状態で、前記室内側からみて前記障子の戸先側の竪框を呑み込む呑込部が設けられていることを特徴とする引戸。
【請求項２】
前記戸先側の竪框の見付寸法と、前記呑込部の呑込寸法とが略同一であることを特徴とする請求項１に記載の引戸。
【請求項３】
前記障子は、最も室外側の室外側障子と、この室外側障子よりも室内側の少なくとも１つの室内側障子とを含み、
前記室外側障子の戸先側の前記縦枠には、前記室外側障子よりも室内側の部位の内側面を覆うアタッチメントが設けられていることを特徴とする請求項１または２に記載の引戸。
【請求項４】
前記アタッチメントの前記縦枠内周側の面と、前記室外側障子の戸先側の竪框の前記面材を保持する側の端面とが、略面一であることを特徴とする請求項３に記載の引戸。
【請求項５】
前記室内側障子および前記室外側障子の戸先側の前記竪框には、縦枠当接機能構造が設けられ、
前記戸先側の竪框に当接する側およびその反対側の縦枠には、それぞれ、前記縦枠当接機能構造に当接する竪框当接機能構造が設けられ、
前記アタッチメントは、前記室外側障子の戸先側の縦枠に設けられた竪框当接機能構造に取り付けられることを特徴とする請求項３または４に記載の引戸。
【請求項６】
前記障子は、最も室外側の室外側障子と、この室外側障子よりも室内側の少なくとも１つの室内側障子とを含み、
前記障子における、前記戸先側とは反対側の竪框が召合框となり、
前記召合框には、見込み方向に突出する突出部が設けられ、
前記枠体には、少なくとも前記障子を閉じた状態で、前記突出部と係合する補強部が設けられていることを特徴とする請求項１〜５のいずかに記載の引戸。
【請求項７】
前記障子は、最も室外側の室外側障子と、この室外側障子よりも室内側の少なくとも１つの室内側障子とを含み、
前記枠体に対して摺動自在に取り付けられるとともに、前記障子に隣接して配置された網戸を備え、
前記網戸は、上框、下框、および左右の竪框が四周框組みされた框体を備え、
前記障子の竪框の見付寸法と、前記網戸の竪框の見付寸法とが、略同一であることを特徴とする請求項１〜６のいずれかに記載の引戸。
【発明の詳細な説明】
【技術分野】
【０００１】
本発明は、引戸に関し、特に、室内側からの開放感を向上できる引戸に関する。
【背景技術】
【０００２】
従来より、例えば、テラス等の室外と室内との間には、引戸が設けられることがある。このような引戸として、建物の開口部に取り付けられる枠体と、枠体に対して摺動自在に取り付けられる障子とを備えたものがある（例えば、特許文献１参照）。この障子は、上下の横框と左右の竪框とを四周枠組みした框体と、この框体内に組み込まれた面材とを備えて構成されている。このような引戸では、障子を摺動させることにより、比較的簡単に開閉できる。また、障子の面材には、ガラスが用いられる場合が一般的であり、障子にガラスを組み込むことにより、室外から差し込む日差しを室内に取り入れたり、室内から室外の景色が視認できるため、室内をある程度開放された空間とすることができる。
【特許文献１】実開昭６０−１０４５７８号公報
【発明の開示】
【発明が解決しようとする課題】
【０００３】
しかしながら、特許文献１に示すような従来の引戸では、障子を閉じた際に、枠体の竪框と障子の竪框とが並ぶように配置されるため、室内から室外を眺めた際に、居住者の視界を遮る部分が大きく感じられて、室内側からの開放感が必ずしも十分でないという問題がある。このため、より一層開放感のある室内を提供できる引戸が求められている。
【０００４】
本発明の目的は、室内側からの開放感を、より一層向上させることができる引戸を提供することにある。
【課題を解決するための手段】
【０００５】
本発明は、建物の室内外間に取り付けられ、上枠、下枠、および左右の縦枠を四周枠組みした枠体に対して、上框、下框、および左右の竪框を四周框組みした框体と、この框体内に組み込まれる面材とを有する障子を摺動自在に取り付けた引戸であって、前記縦枠には、前記障子が閉じた状態で、前記室内側からみて前記障子の戸先側の竪框を呑み込む呑込部が設けられていることを特徴とする。この際、前記戸先側の竪框の見付寸法と、前記呑込部の呑込寸法とが略同一であってもよい。
【０００６】
本発明によれば、障子を閉じた状態では、縦枠の呑込部が障子の戸先側の竪框を呑込むため、室内側からみて戸先側の竪框が縦枠によって隠れるようになる。従って、居住者が室内側から室外を眺めた際に、視界を遮る框部分が小さくなるため、室内側からの開放感をより一層向上できる。
【０００７】
ここで、前記障子は、最も室外側の室外側障子と、この室外側障子よりも室内側の少なくとも１つの室内側障子とを含み、前記室外側障子の戸先側の前記縦枠には、前記室外側障子よりも室内側の部位の内側面を覆うアタッチメントが設けられていてもよい。このような構成によれば、アタッチメントによって、縦枠の室内側の部位の内側面や、室外側障子の戸先側の竪框における室内側の面が殆ど隠れるため、室内の開放感がさらに向上する。
【０００８】
この際、前記アタッチメントの前記縦枠内周側の面と、前記室外側障子の戸先側の竪框の前記面材を保持する側の端面とが、略面一であってもよい。このような構成によれば、アタッチメントの表面と、室外側障子の戸先側の竪框の戸先側とは反対側の面が室内外方向に揃うため、見た目がすっきりとして、室内側からの開放感を向上できる。
【０００９】
また、前記室内側障子および前記室外側障子の戸先側の前記竪框には、縦枠当接機能構造が設けられ、前記戸先側の竪框に当接する側およびその反対側の縦枠には、それぞれ、前記縦枠当接機能構造に当接する竪框当接機能構造が設けられ、前記アタッチメントは、前記室外側障子の戸先側の縦枠に設けられた竪框当接機能構造に取り付けられてもよい。
【００１０】
なお、縦枠当接機能構造と竪框当接機能構造との組み合わせとしては、例えば、戸先框に設けられた引寄片の溝部とこの溝部に係合するヒレ部や、戸先框に設けられたシール材とこのシール材に当接するヒレ部、戸先框の戸先部分とこの戸先部分に当接するシール材や緩衝材などが考えられる。要するに、戸先框に設けられた縦枠当接機能構造と、縦枠に設けられた竪框当接機能構造とは、当該障子を閉じた際に互いに当接して機能しあう部材または部分の組み合わせであればよい。
【００１１】
このような構成において、室外側障子の戸先側の縦枠（この段落では、第１縦枠と称す）では、第１縦枠の竪框当接機能構造にアタッチメントが取り付けられ、この竪框当接機能構造が覆われることとなる。また、室内側障子の戸先側の縦枠（この段落では、第２縦枠と称す）では、第２縦枠の竪框当接機能構造が縦枠当接機能構造に当接する。このため、室内側障子を縦枠間で摺動させても、これらの竪框当接機能構造に室内側障子が衝突すること等もなく、障子の摺動を阻害することがない。このため、第１縦枠と第２縦枠との間でアタッチメントを付け替えることにより、枠体自体を交換することなく、前記障子の左右勝手にも簡単に対応できる。
【００１２】
以上の引戸において、前記障子は、最も室外側の室外側障子と、この室外側障子よりも室内側の少なくとも１つの室内側障子とを含み、前記障子における、前記戸先側とは反対側の竪框が召合框となり、前記召合框には、見込み方向に突出する突出部が設けられ、前記枠体には、少なくとも前記障子を閉じた状態で、前記突出部と係合する補強部が設けられていることとしてもよい。
【００１３】
このような構成によれば、障子を閉じた状態では、前記障子の竪框の召合せ位置において、召合框に設けられた突出部と補強部とが係合し、補強部が召合框を係止するため、風等による障子のがたつきを防止でき、各障子の耐風性を向上できる。
【００１４】
以上の引戸において、前記障子は、最も室外側の室外側障子と、この室外側障子よりも室内側の少なくとも１つの室内側障子とを含み、前記枠体に対して摺動自在に取り付けられるとともに、前記障子に隣接して配置された網戸を備え、前記網戸は、上框、下框、および左右の竪框が四周框組みされた框体を備え、前記障子の竪框の見付寸法と、前記網戸の竪框の見付寸法とが、略同一であってもよい。
【００１５】
このような構成によれば、障子と網戸の竪框の見付寸法が略同一であるため、室内から室外を眺めた際に、障子と網戸の竪框同士が見込み方向に揃うため、すっきりした印象の障子とすることができる。このため、室内側からの開放感を向上できる。
【発明の効果】
【００１６】
本発明の引戸によれば、室内側からの開放感をより一層向上できるという効果がある。
【発明を実施するための最良の形態】
【００１７】
以下、本発明の一実施形態に係る引戸について図面を参照して説明する。
図１，図２に示すように、引戸１は、３枚の障子２１〜２３を有する三連戸として構成されている。また、図３，図４に示すように、引戸１は、建物２の室内とテラス等の室外との間の開口部２Ａに取り付けられる枠体１０と、枠体１０に対して摺動自在に取り付けられる障子２０と、障子２０の室外側に設けられた網戸３０とを備えている。
【００１８】
枠体１０は、上枠１１と、下枠１２と、左右の縦枠１３とを四周枠組みして構成されている。図３，図４に示すように、各枠１１〜１３は、室内外の２つのアルミ押出し形材間に加締あるいは注入により樹脂部１４が構成され、室内外間の断熱性能を高めている。具体的には、各枠１１〜１３は、樹脂部１４が、後述する内障子２１と中障子２２との間に位置するように構成されている。なお、各枠１１〜１３は、アルミ押出し形材のみで構成したものや、アルミと樹脂の複合材料で構成したもの、樹脂のみで構成したもの等としてもよい。
【００１９】
図３，図４に示すように、障子２０は、最も室外側に配置される室外側障子としての外障子２３と、外障子２３よりも室内側に配置される室内側障子としての内障子２１と、内障子２１と外障子２３との間に配置される中障子２２とを備えている。なお、本実施形態において、外障子２３は、通常は、摺動しないように縦枠１３に固定された状態となっている。各障子２１〜２３は、上框２４、下框２５、および左右の竪框２６が四周框組みされた框体２７と、框体２７内に組み込まれる面材としての複層ガラス２８とを備えている。なお、面材は、複層ガラス２８以外のガラスや、ガラス以外の材質のもの等としてもよい。
【００２０】
図４に示すように、内障子２１では、図中左側に示す竪框２６が戸先框２１１となり、図中右側に示す竪框２６が召合框２１２となっている。また、外障子２３では、図中左側に示す竪框２６が召合框２３１となり、図中右側に示す竪框２６が戸先框２３２となっている。中障子２２では、図中左側に示す竪框２６が内障子２１の召合框２１２に隣り合う召合框２２１となり、図中右側に示す竪框２６が外障子２３の召合框２３１に隣り合う召合框２２２となっている。このような召合框２２１，２２２は、複層ガラス２８の端部を呑込んでおり、召合框２２１，２２２の見付寸法Ｐ，Ｑは、複層ガラス２８の呑込寸法Ｒの略２倍となる寸法（例えば、４０ｍｍ以下）に形成されている。
【００２１】
図３，図４に示すように、網戸３０は、室内側に配置される内網戸３１と、室外側に配置される外網戸３２とを備え、各網戸３１，３２は、下枠１２に沿って水平方向に摺動自在に構成されている。各網戸３１，３２は、上框３４、下框３５、および左右の竪框３６（３６Ｌ，３６Ｒ）が四周框組みされた框体３７と、框体３７内に組み込まれる網３８とを備えている。図４に示すように、各網戸３１，３２の図中右側の竪框３６Ｒは、その見付寸法が外障子２３の戸先框２３２の見付寸法と略同一となるように形成されている。また、各網戸３１，３２の図中左側の竪框３６Ｌは、その見付寸法が外障子２３の召合框２３１の見付寸法と略同一となるように形成されている。従って、外障子２３の竪框２６と網戸３０の竪框３６の位置が、室内外方向に揃っているため、見た目がすっきりして、室内側からの開放感を向上できる。
【００２２】
図４に示すように、内網戸３１における左側の竪框３６Ｌの室内側の面と室外側の面には、それぞれ突起３１Ａ，３１Ｂが設けられている。また、外網戸３２における右側の竪框３６Ｒの室内側の面と室外側の面には、それぞれ突起３２Ａ，３２Ｂが設けられている。このため、外網戸３２を図中左方向へ閉じるように摺動させると、外網戸３２の竪框３６Ｒの室内側の面に設けられた突起３２Ａが、内網戸３１の竪框３６Ｌの室外側の面に設けられた突起３１Ｂに係合し、外網戸３２の摺動に伴って内網戸３１も左方向へ摺動して、図５に示すように網戸３０が閉じた状態となる。
【００２３】
また、図５に示すような網戸３０を閉じた状態から、内網戸３１を図中右方向へ開くように摺動させると、内網戸３１の竪框３６Ｌの室外側面に設けられた突起３１Ｂが、外網戸３２の竪框３６Ｒの室内側面に設けられた突起３２Ａに係合し、内網戸３１の摺動に伴って外網戸３２も右方向へ摺動して、最終的には、図４に示すような網戸３０が開いた状態となる。このように、一方の網戸３０を摺動させると他方の網戸も連動して作用するため、網戸３０の開閉操作を簡単に行うことができる。
なお、網戸３１，３２の室内側の面と、室外側の面との両側に突起３１Ａ，３１Ｂ，３２Ａ，３２Ｂを設けたので、網戸３１，３２の左右勝手を替えた場合であっても、前記同様にこれらの網戸３１，３２の連動作用を奏することができる。
【００２４】
次に、枠体１０について詳説する。
図３に示すように、枠体１０の上枠１１には、それぞれ室内側から室外側に順次、各障子２１〜２３を摺動させるために、下方へ突出する第２レール１１Ａと、第３レール１１Ｂと、第１レール１１Ｃとが形成されている。また、上枠１１には、網戸３０を摺動させるために、下方へ突出するレール１１Ｘが形成されている。
また、下枠１２には、それぞれ室内側から室外側に順次、各障子２１〜２３に対応する位置に上方へ突出する突起１２Ａが形成され、突起１２Ａ上には、カバー部材１２１が取り付けられている。また、下枠１２には、網戸３０に対応する位置にレール部材１２２が取り付けられている。
【００２５】
カバー部材１２１の上部には、後述する戸車４５が摺動する突条部１２１Ａが形成されている。また、カバー部材１２１の側部にはシール材１２３が取り付けられ、シール材１２３が障子２１〜２３の下框２５に当接している。また、下枠１２において、突起１２Ａの両側には、床部材１２４が着脱自在にそれぞれ取り付けられている。床部材１２４は、その上面が平らかに形成され、前記上面と突条部１２１Ａとが略同じ高さ位置となるように構成されている。このような構成により、障子２１〜２３が摺動する床面を、上面がフラットで見た目がすっきりしたものにできて、バリアフリーにも対応できる。また、床部材１２４が着脱可能なため、床部材１２４を適宜取り外すことにより、下枠１２を簡単に清掃できる。
なお、本実施形態では、床面を平らかに構成するために、カバー部材１２１や床部材１２４を用いたが、下枠１２側にも、上枠１１側と同様に、各障子に対応するレールをそれぞれ設けて、これらのレール上を各障子が摺動する構成としてもよい。この際、後述するように、下枠側に設けたレールを補強部として利用する構成としてもよい。
【００２６】
図４に示すように、各縦枠１３には、互いに向き合う方向に突出する呑込部１３０がそれぞれ形成されている。室内側から見て、右側の縦枠１３Ｒの呑込部１３０Ｒは、外障子２３の戸先框２３２を呑込んでおり、左側の縦枠１３Ｌの呑込部１３０Ｌは、内障子２１の戸先框２１１を呑込んでいる。また、各呑込部１３０Ｒ，１３０Ｌは、建物２の開口部２Ａ近傍の壁体４に係合している。
【００２７】
呑込部１３０Ｒによる戸先框２３２の呑込寸法は、外障子２３の戸先框２３２の見付寸法と略同じである。また、呑込部１３０Ｌによる戸先框２１１の呑込寸法は、内障子２１の戸先框２１１の見付寸法と略同じである。このため、障子２０を閉じた状態では、室内から見て、戸先框２１１，２３２が縦枠１３内に程よく呑み込まれて隠れることとなり、複層ガラス２８を通した視界が拡がるため、室内側からの開放感が向上する。
【００２８】
また、各縦枠１３には、内障子２１の摺動箇所に対応する位置に設けられた竪框当接機能構造としての第１ヒレ部１３１と、第１ヒレ部１３１よりも室外側に設けられた第２ヒレ部１３２とがそれぞれ形成されている。
図４の左側に示す縦枠１３Ｌにおいて、内障子２１を閉じた状態で、第１ヒレ部１３１は、内障子２１の戸先框２１１の後述する縦枠当接機能構造としての引寄片８０の溝部８０Ａに係合する。第２ヒレ部１３２は、シール材１３４を介して内障子２１の戸先側に当接する。内障子２１の戸先框２１１には、内障子２１を閉じた状態で、縦枠１３Ｌに形成された第１ヒレ部１３１に当接する縦枠当接機能構造としてのシール材１３７が設けられている。また、第２ヒレ部１３２には、竪框当接機能構造としてのシール材１３４が取り付けられ、内障子２１を閉じた際にシール材１３４が内障子２１の戸先側に当接する。
【００２９】
一方、図４の右側に示す縦枠１３Ｒには、閉じた状態の外障子２３の戸先框２３２の室内側に、第１ヒレ部１３１および第２ヒレ部１３２を覆うようなアタッチメント部材１３３が着脱自在に取り付けられている。
【００３０】
アタッチメント部材１３３は、平面視略Ｆ字状に形成され、室内外方向に延びて、外障子２３の戸先框２３２の縦枠１３の内周側面である見込方向側の面と略面一となるように構成された面材である複層ガラス２８を保持する側の端面としての被覆部１３３Ａを備えている。被覆部１３３Ａの室内側端部には、図中右側へ折り曲げられた係合部１３３Ｂが形成され、この係合部１３３Ｂが呑込部１３０Ｒに係合するとともに、被覆部１３３Ａから延びる２つの係合板１３３Ｃ，１３３Ｄが第１ヒレ部１３１、第２ヒレ部１３２に係合することでアタッチメント部材１３３が取り付けられている。
【００３１】
このような構成により、図１に示すように、外障子２３の戸先框２３２の室内側の面がアタッチメント部材１３３の被覆部１３３Ａによって殆ど隠れるため、見た目がすっきりとし、室内側からの開放感をさらに向上できる。
【００３２】
また、縦枠１３（１３Ｒ，１３Ｌ）には、外障子２３の摺動箇所に対応する位置に、竪框当接機能構造としての第３ヒレ部１３５がそれぞれ形成されている。図４の右側に示す縦枠１３Ｒにおいて、外障子２３を閉じた状態で、第３ヒレ部１３５は、外障子２３の戸先框２３２の後述する縦枠当接機能構造としての引寄片８０の溝部８０Ａに係合する。また、外障子２３の戸先框２３２には、外障子２３を閉じた状態で、縦枠１３Ｒに形成された第３ヒレ部１３５に当接する縦枠当接機能構造としてのシール材１３６が取り付けられている。
【００３３】
なお、以上のような縦枠当接機能構造と竪框当接機能構造との組み合わせとしては、例えば、戸先框に設けられた引寄片の溝部とこの溝部に係合するヒレ部や、戸先框に設けられたシール材とこのシール材に当接するヒレ部、戸先框の戸先部分とこの戸先部分に当接するシール材や緩衝材などが考えられる。要するに、戸先框に設けられた縦枠当接機能構造と、縦枠に設けられた竪框当接機能構造とは、当該障子を閉じた際に互いに当接して機能しあう部材または部分の組み合わせであればよい。
【００３４】
以上のように、アタッチメント部材１３３やシール材１３４は、いずれか一方の縦枠１３側にのみ設けられている。このため、例えば、図６に示すように、アタッチメント部材１３３やシール材１３４を他方の縦枠１３側に付け替えることにより、建物２から枠体１０を取り外すことなく、当該枠体１０を使用したまま、障子２０を左右勝手の異なる障子に交換するだけで、比較的簡単に障子の左右勝手を替えることができる。
【００３５】
次に、障子２０について詳説する。
図３に示すように、各障子２１〜２３の上框２４の上部には、シール材２９を介してレール１１Ａ，１１Ｂ，１１Ｃに当接する溝部２４Ａが形成されている。また、溝部２４Ａには、左右の竪框２６側の端部に上側摺動片（図示略）がそれぞれ設けられ、これらの２つの上側摺動片はレール１１Ａ，１１Ｂ，１１Ｃに係合している。また、下框２５下側の左右の竪框２６側の端部にも、下側摺動片（図示略）がそれぞれ設けられている。これらの２つの下側摺動片は、カバー部材１２１の突条部１２１Ａに係合している。前記上側摺動片とレール１１Ａ，１１Ｂ，１１Ｃの係合と、前記下側摺動片と突条部１２１Ａの係合とにより、各障子２１〜２３の見付方向への振動が防止されている。
【００３６】
図３，図４に示すように、中障子２２の上框２４には、３枚の障子２１〜２３を連動して摺動させるための連動部材５０が設けられている。また、図３に示すように、各障子２１〜２３の下框２５には、溝部２５Ａが形成されている。下框２５の溝部２５Ａの位置には、下枠１２に設けられたカバー部材１２１の突条部１２１Ａに沿って回転する戸車４５が設けられている。下枠１２に設けられたカバー部材１２１の突条部１２１Ａに沿って、戸車４５が回転することにより、障子２０を、図４に示す閉じた状態と、図５に示す開いた状態との間で滑らかに移動させることができる。
【００３７】
図７は、連動部材５０を示す横断面図である。図７に示すように、連動部材５０は、上框２４内に収容される本体５１と、本体５１の両端にそれぞれ取り付けられたリール５２と、リール５２間に掛け渡されたリング状のワイヤ５３と、ワイヤ５３に固着された２つの誘導軸５４（５４Ａ，５４Ｂ）とを備えている。一方の誘導軸部材５４Ａは外障子２３側に突出し、他方の誘導軸部材５４Ｂは内障子２１側に突出している。これらの誘導軸５４は、誘導軸部材５４Ａが図中右側のリール５２近傍に位置する場合には、誘導軸部材５４Ｂが図中左側のリール５２の近傍に位置するように、ワイヤ５３に固着されている。
【００３８】
従って、例えば、一方の誘導軸部材５４Ａが図中の左方向に移動すると、リール５２間に掛け渡されたワイヤ５３が回転し、ワイヤ５３に固着された、他方の誘導軸部材５４Ｂが図中の右方向に移動する。誘導軸部材５４Ａは、外障子２３の召合框２３１に設けられた受部材６０（６０Ｒ）に係合し、誘導軸部材５４Ｂは、内障子２１の召合框２１２に設けられた受部材６０（６０Ｌ）に係合する。
【００３９】
次に、連動部材５０の動作について説明する。図８は、連動部材５０によって障子２１〜２３が連動して動く様子を模式的に示す横断面図であり、（Ａ）は３枚の障子２１〜２３により室内外空間を連通する開口部を閉じた状態を、（Ｂ）は開口部の一部を開いた状態を、（Ｃ）は開口部を閉じた状態を示している。
【００４０】
図８（Ａ）に示す障子２１〜２３を閉じた状態から、図８（Ｂ）に示すように、内障子２１を矢印Ａの方向に摺動させると、誘導軸部材５４Ｂが矢印Ａの方向に移動して、リール５２間に掛け渡されたワイヤ５３が回転し、誘導軸部材５４Ａが矢印Ｂの方向に移動する。誘導軸部材５４Ａが矢印Ｂの方向に移動すると、外障子２３が固定された状態となっていることから、中障子２２が矢印Ａの方向に移動する。従って、内障子２１と中障子２２とが、図中の矢印Ａの方向に移動して、最終的には、図８（Ｃ）に示すように、３枚の障子２１〜２３が重なった状態となり、図５に示す開放状態となる。
【００４１】
逆に、図５に示す開放状態から、内障子２１を図８の矢印Ｂの方向に摺動させると、連動部材５０が前述とは逆向きに作用して、図４に示す完全に閉じられた状態となる。このような連動部材５０により、内障子２１を摺動させるだけで、中障子２２を連動して摺動させることができ、障子２０の開閉が容易となる。
【００４２】
図９は、図４のＩＸ−ＩＸ断面図である。図９に示すように、中障子２２の召合框２２２には、室内側に突出する突出部６１が一体的に形成されている。突出部６１には、上側に溝部６１Ａが形成されている。溝部６１Ａには、内障子２１を摺動させるための第２レール１１Ａが係合している。このため、図２に示すように、突出部６１を含む召合框２２２が２つのレール１１Ａ，１１Ｂに跨るように配置される。このように召合框２２２に突出部６１を形成して、召合框２２２の強度を高めている。また、溝部６１Ａと内障子２１用の第２レール１１Ａとを係合させることにより、召合框２２２の室内外方向への強度が向上して、中障子２２の耐風性を向上できる。なお、内障子２１用の第２レール１１Ａが補強部となっている。
【００４３】
なお、本実施形態では、中障子２２の召合框２２２のみに突出部６１を設けたが、中障子２２の召合框２２１に、室外側に突出するとともに、上側に溝部が形成された突出部を形成し、この溝部と外障子２３用の第１レール１１Ｃとを係合させて、召合框２２１の強度を向上させてもよい。
【００４４】
図９に示すように、上枠１１には、中障子２２用の第３レール１１Ｂと、外障子２３用の第１レール１１Ｃとの間の召合せ位置に風止板７０が取り付けられている。
図１０は、風止板７０を示す斜視図である。図１０に示すように、風止板７０は、上枠１１に取り付けられる上板７１と、上板７１の長手方向に間隔を開けて立設された複数の風止板本体７２と、上板７１の幅方向の両端部にそれぞれ立設された２つのヒレ部７３とを備えている。風止板本体７２は、中障子２２の上框２４と外障子２３の上框２４とに当接し、上枠１１と障子２２，２３との隙間からの風の侵入や音もれ等を防止している。
【００４５】
図９に示すように、室外側のヒレ部７３（７３Ａ）は、外障子２３の上框２４に取り付けられた上側摺動片６２の溝部に係合し、室内側のヒレ部７３（７３Ｂ）は、中障子２２の上框２４に取り付けられた上側摺動片６３の溝部に係合している。このようなヒレ部７３と上側摺動片６２，６３との係合により、障子２０の室内外方向へのがたつきを防止できる。
【００４６】
なお、図示を省略するが、中障子２２用のレール１１Ｂと、内障子２１用のレール１１Ａとの間の召合せ位置にも風止板７０が取り付けられている。また、同様に、下枠１２にも風止板７０が取り付けられている。
【００４７】
また、図４に示すように、内障子２１の戸先框２１１には、引寄片８０が取り付けられている。引寄片８０は、戸先框２１１の長手方向に沿って、間隔を開けて複数取り付けられている。引寄片８０には、内障子２１を閉じた際に、縦枠１３Ｌの第１ヒレ部１３１を収納し係合する溝部８０Ａが形成されている。これにより、縦枠１３Ｌから内障子２１が勝手に開いてしまうことを防止できる。
【００４８】
本実施形態によれば、以下のような効果がある。
(１)外障子２３の戸先框２３２が縦枠１３Ｒ内に収納されると、戸先框２３２の見付寸法と縦枠１３Ｒの呑込寸法とが略同一であることから、外障子２３を閉じた際に戸先框２３２が縦枠１３Ｒ内に程よく収納されて隠れるようになる。このため、障子２０を閉じた状態で、室内側から室外を眺めたときに、視界を遮る框部分が小さくなるため、室内側からの開放感をより一層向上できる。
【００４９】
(２)召合框２２１，２２２の見付寸法Ｐ，Ｑが、複層ガラス２８の呑込寸法Ｒの略２倍となる寸法で、かつ４０ｍｍ以下となるようにしたので、一般的な召合框の場合に比べて小さくなるため、障子２０に対する召合框２２１，２２２の占める割合が小さくなって、室内側からの開放感をより一層向上できる。
【００５０】
(３)縦枠１３Ｒにおける内障子２１の摺動箇所に対応する位置に、縦枠１３Ｒの内側面を覆うとともに、その表面が外障子２３の戸先框２３２の見込方向側の面と略面一となるアタッチメント部材１３３を取り付けたので、アタッチメント部材１３３によって、縦枠１３Ｒの内側面や外障子２３の戸先框２３２における呑込部１３０側の面が殆ど隠れるため、室内側からの開放感をさらに向上できる。
【００５１】
(４)各網戸３１，３２の竪框３６Ｒの見付寸法が外障子２３の戸先框２３２の見付寸法と略同一となるように形成するとともに、各網戸３１，３２の竪框３６Ｌの見付寸法が外障子２３の召合框２３１の見付寸法と略同一となるように形成したので、外障子２３の竪框２６と網戸３０の竪框３６の位置が、室内外方向に揃っているため、見た目がすっきりして、室内側からの開放感を向上できる。
【００５２】
(５)いずれの縦枠１３Ｒ，１３Ｌにも、ヒレ部１３１，１３２，１３５を形成し、例えば、一方の縦枠１３（１３Ｒ）については、第１ヒレ部１３１および第２ヒレ部１３２にアタッチメント部材１３３を、第３ヒレ部１３５にシール材１３６をそれぞれ取り付け、また、他方の縦枠１３（１３Ｌ）については、第２ヒレ部１３２にシール材１３４を取り付けている。このため、アタッチメント部材１３３やシール材１３４，１３６を反対側の縦枠１３に付け替えることにより、建物２から枠体１０を取り外すことなく、当該枠体１０を使用したまま、障子２０を交換するだけで、比較的簡単に障子２０の左右勝手を替えることができる。
【００５３】
(６)内網戸３１に突起３１Ｂを設けるとともに、外網戸３２に突起３２Ａを設けて、内網戸３１を閉じる際や外網戸３２を開く際に、これらの突起３１Ｂ，３２Ａが係合して他方の網戸３１，３２も摺動させるようにしたので、一方の網戸３１，３２を摺動させるだけで、他方の網戸３１，３２も連動させることができ、網戸３０の開閉操作を簡単に行うことができる。また、網戸３１，３２には、前記突起３１Ｂ，３２Ａの反対側面の同位置にも同様の突起３１Ａ，３２Ｂを設けたので、網戸３１，３２の左右勝手を替えた場合であっても、前記同様にこれらの網戸３１，３２の連動作用を奏することができる。
【００５４】
(７)中障子２２に連動部材５０を備えたので、内障子２１を閉じるように摺動させると、それに伴って中障子２２が連動して摺動するため、内障子２１を操作するだけで、簡単に障子２０の開閉を行うことができる。
【００５５】
(８)中障子２２において、召合框２２２に突出部６１を形成して、突出部６１の溝部６１Ａと内障子２１用の第２レール１１Ａとを係合させたので、召合框２２２の室内外方向への強度が向上して、中障子２２の耐風性を向上できる。
【００５６】
(９)中障子２２用の第３レール１１Ｂと、外障子２３用の第１レール１１Ｃとの間の召合せ位置に風止板７０を取り付け、風止板７０のヒレ部７３（７３Ａ）を、外障子２３の上框２４に取り付けられた上側摺動片６２の溝部に係合させるとともに、風止板７０のヒレ部７３（７３Ｂ）を、中障子２２の上框２４に取り付けられた上側摺動片６３の溝部に係合させるようにしたので、ヒレ部７３と上側摺動片６２，６３との係合により、障子２０の見込み方向へのがたつきを防止できる。
【００５７】
なお、本発明は、前記実施形態には限定されない。例えば、図１１は、中障子２２と外障子２３との召合せ部分を拡大して示す横断面図である。図１１に示すように、中障子２２の召合框２２２にスペーサ１００を取り付け、スペーサ１００が外障子２３の召合框２３１の室内側の面を室外側へと付勢する構成としてもよい。このような構成によれば、障子２０の室内外方向へのがたつきを抑えることができる。
【００５８】
また、前記上側摺動片および前記下側摺動片に、図１１に示すような突起部４１をそれぞれ形成し、障子２０を閉じた際に、突起部４１が、中障子２２の右側の煙返部２２Ｘと外障子２３の煙返部２３Ｘとの間の上下位置に介装されるようにしてもよい。また、図示を省略するが、中障子２２の左側部分についても同様に、前記内障子の煙返部２２と中障子の煙返部との間の上下位置に前記突起部が介装されるようにしてもよい。このような構成によれば、障子２０を閉じた際に、煙返部２２Ｘ，２３Ｘ間のクリアランスに突起部４１が介装されて、各クリアランス部分がその上下位置において塞がれるため、各障子２１〜２３の見付方向へのがたつきを抑えることができる。
【００５９】
また、図１２は、前記引戸の下側を示す縦断面図である。図１３は、前記引戸を部分的に示す横断面図である。図１２，図１３に示すように、下枠１２の、中障子２２に対応する位置にストッパ部材１１０を取り付けてもよい。ストッパ部材１１０は、障子２０を閉じた際に、中障子２２の下框２５に当接し、中障子２２の下框２５を図１３中の右側へ付勢する。このような構成により、障子２０を閉じた際に、内障子２１の煙返部と中障子２２の煙返部との間に形成されるクリアランスを小さくすることができて、障子２０の見付方向へのがたつきを抑えることができる。
【００６０】
また、前記実施形態では、引戸１を三連戸として構成したが、図１４に示すように、前記実施形態と同じ枠体１０を用いて、２枚の障子１０２，１０３と、１枚の網戸１０４とを備える引違戸１０１としてもよい。このような引違戸１０１では、障子１０２，１０３を、前記実施形態の内障子２１と外障子２３に対応する箇所に配置し、中障子２２に対応する箇所では、障子１０２に設けられた突出部１０２Ａが前記レールに係合するように各障子１０２，１０３を構成すればよい。このような構成とすることにより、枠体１０を替えることなく、障子や網戸を交換するだけで、簡単に三連戸を引違戸に変更することができる。なお、本発明では、障子や網戸の枚数は、前記実施形態や変形例の枚数に限定されず、いわゆる片引戸や、４枚戸等であってもよい。
【００６１】
前記実施形態では、中障子２２の召合框２２１に突出部を設け、この突出部に溝部を形成して、溝部と隣のレールとが係合する構成としたが、例えば、図１５，図１６に示す引違戸１４０として構成してもよい。図１５は、引違戸１４０を示す横断面図であり、図１６は、引違戸１４０を示す縦断面図である。図１５，図１６に示すように、引違戸１４０は、２枚の障子１４１，１４２と、枠体１４３とを備えている。外障子１４２には、室内側へ突出する突出部１４４が形成され、突出部１４４の上部には溝部１４４Ａが形成されている。また、枠体１４３の上枠１４５において、外障子１４２の上框１４６の召合せ部分の位置には、補強部１４７が取り付けられている。補強部１４７は、障子１４１，１４２を閉じた際に、突出部１４４の溝部１４４Ａと補強部１４７とが係合して、各障子１４１，１４２の召合せ部分となる竪框１４８を室内外方向に係止している。なお、前記補強部１４７を召合せ部分にのみ設けたが、縦枠間に亘って延びるように構成してもよい。
【図面の簡単な説明】
【００６２】
【図１】本発明の一実施形態に係る引戸を室内側斜め上方から眺めた様子を示す斜視図である。
【図２】前記引戸を室内側斜め下方から眺めた様子を部分的に示す斜視図である。
【図３】前記引戸を示す縦断面図である。
【図４】前記引戸を示す横断面図であり、障子を閉じた状態を示している。
【図５】前記引戸を示す横断面図であり、障子を開いた状態を示している。
【図６】前記引戸において、障子の左右勝手を替えた様子を示す横断面図である。
【図７】連動部材を示す横断面図である。
【図８】連動部材によって障子が連動して動く様子を模式的に示す横断面図であり、（Ａ）は３枚の障子により室内外空間を連通する開口部を閉じた状態を、（Ｂ）は開口部の一部を開いた状態を、（Ｃ）は開口部を閉じた状態を示している。
【図９】図４のＩＸ−ＩＸ断面図である。
【図１０】風止板を示す斜視図である。
【図１１】本発明の第１の変形例において、中障子と外障子との召合せ部分を拡大して示す横断面図である。
【図１２】本発明の第２の変形例において、引戸の下側を示す縦断面図である。
【図１３】前記第２の変形例に係る引戸を部分的に示す横断面図である。
【図１４】本発明の第３の変形例において、引戸を示す横断面図である。
【図１５】本発明の第４の変形例において、引戸を示す横断面図である。
【図１６】前記第４の変形例に係る引戸を示す縦断面図である。
【符号の説明】
【００６３】
１      引戸
２      建物
１０      枠体
１１      上枠
１１Ａ      第２レール
１１Ｂ      第３レール
１１Ｃ      第１レール
１２      下枠
１３（１３Ｌ，１３Ｒ）      縦枠
２０      障子
２１      内障子（室内側障子）
２２      中障子
２３      外障子（室外側障子）
２４      上框
２５      下框
２６      竪框
２７      框体
２８      複層ガラス（面材）
３０（３１，３２）      網戸
３４      上框
３５      下框
３６（３６Ｌ，３６Ｒ）      竪框
３７      框体
６１      突出部
８０Ａ      溝部（縦枠当接機能構造）
１３０（１３０Ｌ，１３０Ｒ）      呑込部
１３１      第１ヒレ部（竪框当接機能構造）
１３２      第２ヒレ部
１３３      アタッチメント部材（アタッチメント）
１３３Ａ      被覆部（面材を保持する側の面）
１３４      シール材（竪框当接機能構造）１３５      第３ヒレ部（竪框当接機能構造）
１３６，１３７      シール材（縦枠当接機能構造）２１１，２３２      戸先框
２１２，２２１，２２２，２３１      召合框
Ｐ，Ｑ      見付寸法
Ｒ      呑込寸法
【図１】
2006104879.tif 000003
【図２】
2006104879.tif 000004
【図３】
2006104879.tif 000005
【図４】
2006104879.tif 000006
【図５】
2006104879.tif 000007
【図６】
2006104879.tif 000008
【図７】
2006104879.tif 000009
【図８】
2006104879.tif 000010
【図９】
2006104879.tif 000011
【図１０】
2006104879.tif 000012
【図１１】
2006104879.tif 000013
【図１２】
2006104879.tif 000014
【図１３】
2006104879.tif 000015
【図１４】
2006104879.tif 000016
【図１５】
2006104879.tif 000017
【図１６】
2006104879.tif 000018